(57)【要約】【課題】  地レールと天レールとの間に所定間隔を隔てて立設した支柱間にパネル体を着脱可能に取付ける構造の間仕切装置において、パネル体の下端部と地レールとを外覆する巾木を、所定位置に簡単な作業で隙間やガタつき無く取付けることができる間仕切装置を提供する。【解決手段】  巾木５は、表裏の巾木板１３，１３の中間を連結板１４で一体的に連結した断面略Ｈ字形であり、連結板より上方の両巾木板の上部間にパネル体４の下端部表裏面を挟持可能且つ該パネル体に対して上下スライド変位可能であるとともに、連結板より下方の両巾木板の下部間に地レール２を収容可能としてなる。【選択図】        図５
2006028896.tif 000002
【特許請求の範囲】
【請求項１】
地レール上に所定間隔を隔てて立設した支柱間にパネル体を着脱可能に取付けるとともに、該パネル体の下端部と地レール間に巾木を設けてなる間仕切装置であって、前記巾木は、表裏の巾木板の中間を連結板で一体的に連結した断面略Ｈ字形であり、前記連結板より上方の両巾木板の上部間に前記パネル体の下端部表裏面を挟持可能且つ該パネル体に対して上下スライド変位可能であるとともに、前記連結板より下方の両巾木板の下部間に前記地レールを収容可能としたことを特徴とする間仕切装置。
【請求項２】
前記巾木は、前記パネル体の下端部に装着する前の状態において、両巾木板の上端間隔を前記パネル体の表裏面の厚さよりも小さく設定し、合成樹脂で押出し成形してなる請求項１記載の間仕切装置。
【請求項３】
前記巾木の両巾木板の上端部内面側に、長手方向に沿って突条を突設してなる請求項１又は２記載の間仕切装置。
【請求項４】
前記巾木の両巾木板の下端部内面側に、長手方向に沿って上向き傾斜した案内片を対向形成し、前記地レールを受け入れてなる請求項１〜３何れかに記載の間仕切装置。
【請求項５】
前記巾木の長さを、前記パネル体を取付ける支柱間の間隔に略一致させるとともに、前記支柱の下端部には、前記巾木の上下幅と略一致する高さと該支柱の側面幅と略一致する横幅を有する化粧部材を着脱可能に取付けてなる請求項１〜４何れかに記載の間仕切装置。
【発明の詳細な説明】
【技術分野】
【０００１】
本発明は、間仕切装置に係わり、更に詳しくは室内を区画するための間仕切装置に関するものである。
【背景技術】
【０００２】
従来は、所定間隔を隔てて立設した支柱間で地レールと天レールとの間にパネル体を取付けるとともに、該パネル体の下端部と地レールとの間に、該地レールを覆うように表裏両面に巾木を取付けてなる構造の間仕切装置は各種提供されている。
【０００３】
例えば、本出願人の先願に係る特許文献１には、両側の支柱の内側面に近接した位置で前記地レールの上に高さ調節装置のアジャスター受けを配し、隣接する支柱の対向する凹溝内にパネル体の両側端に突設した連結部材を嵌合連結するとともに、パネル体の上端部を前記天レールの溝内に嵌合し、それと同時に下端コーナー部を前記アジャスター受けに載置し、前記高さ調節装置にてパネル体の高さを調節し、更にパネル体の下端と地レール間の空間部を閉塞すべく、巾木の下端縁全長に形成した下方開放したスリット溝を前記地レールの両立壁に上方から外嵌するとともに、上縁の内方に突設した係止縁を前記アジャスター受とパネル体の間に形成される間隙に嵌合係止して装着した構造の間仕切装置が開示されている。
【０００４】
しかし、パネル体の高さ調節した後に、表裏両面側から巾木をそれぞれ取付けていたので、作業性が悪く、また寸法精度、組立精度の関係で巾木とパネル体との間に隙間が生じたり、ガタつきが生じたり、更に支柱の前後面で巾木に対応する下端部が露出しているので、外観性における連続性、統一性にやや欠けるものであった。
【特許文献１】実用新案登録第２５０８７１６号公報（図１、図３）
【発明の開示】
【発明が解決しようとする課題】
【０００５】
そこで、本発明が前述の状況に鑑み、解決しようとするところは、地レールと天レールとの間に所定間隔を隔てて立設した支柱間にパネル体を着脱可能に取付ける構造の間仕切装置において、パネル体の下端部と地レールとを外覆する巾木を、所定位置に簡単な作業で隙間やガタつき無く取付けることができる間仕切装置を提供する点にある。
【課題を解決するための手段】
【０００６】
本発明は、前述の課題解決のために、地レール上に所定間隔を隔てて立設した支柱間にパネル体を着脱可能に取付けるとともに、該パネル体の下端部と地レール間に巾木を設けてなる間仕切装置であって、前記巾木は、表裏の巾木板の中間を連結板で一体的に連結した断面略Ｈ字形であり、前記連結板より上方の両巾木板の上部間に前記パネル体の下端部表裏面を挟持可能且つ該パネル体に対して上下スライド変位可能であるとともに、前記連結板より下方の両巾木板の下部間に前記地レールを収容可能としてなる間仕切装置を構成した（請求項１）。
【０００７】
ここで、前記巾木は、前記パネル体の下端部に装着する前の状態において、両巾木板の上端間隔を前記パネル体の表裏面の厚さよりも小さく設定し、合成樹脂で押出し成形してなることが好ましい（請求項２）。
【０００８】
更に、前記巾木の両巾木板の上端部内面側に、長手方向に沿って突条を突設してなること（請求項３）、また前記巾木の両巾木板の下端部内面側に、長手方向に沿って上向き傾斜した案内片を対向形成し、前記地レールを受け入れてなること（請求項４）がより好ましい。
【０００９】
また、前記巾木の長さを、前記パネル体を取付ける支柱間の間隔に略一致させるとともに、前記支柱の下端部には、前記巾木の上下幅と略一致する高さと該支柱の側面幅と略一致する横幅を有する化粧部材を着脱可能に取付けてなることも好ましい（請求項５）。
【発明の効果】
【００１０】
以上にしてなる請求項１に係る発明の間仕切装置は、連結板より上方の両巾木板の上部間にパネル体の下端部表裏面を挟持するとともに、巾木をパネル板に対して上方へスライド変位させた状態で、前記支柱間にパネル体を装着した後、表裏一方の側で一方の巾木板を持って下方へ押し下げるだけで、連結板より下方の両巾木板の下部間に地レールを収容して、該巾木でパネル体の下端部と地レールを覆った状態にすることができる。
【００１１】
請求項２によれば、巾木の両巾木板の上端部によってパネル体の下端部表裏面を押圧状態で挟持するので、巾木から手を離しても自重によっては下方へ移動せず、従って該巾木をパネル板に対して上方へスライド変位させた状態に維持することができるので、パネル体を支柱間に装着する作業が容易になる。
【００１２】
請求項３によれば、両巾木板の上端部内面側に突設した突条が、パネル体の表裏面を押圧するので、確実にパネル体に巾木を保持することができ、また巾木が多少捩れていても巾木板とパネル体の表裏面との間に隙間が生じることもないのである。
【００１３】
請求項４によれば、巾木をパネル板に対して上方へスライド変位させた状態で、パネル体を支柱間に装着した後、表裏一方の側で一方の巾木板を持って該巾木を押し下げても、両巾木板の下端部内面側に対向形成した上向き傾斜の案内片で地レールを案内しながら受け入れることができるので、スムーズに作業を行うことができる。
【００１４】
請求項５によれば、支柱を介して直線状、Ｔ字状、Ｌ字状にパネル体を連設した場合、更には支柱を終端とした場合や壁面に支柱を接合した場合に、支柱の下端部の露出側面にそれぞれ化粧部材を取付けることにより、支柱間のパネル体の下端部と地レール間に設けた巾木との外観性の統一が図れるのである。
【発明を実施するための最良の形態】
【００１５】
次に、添付図面に示した実施形態に基づき、本発明を更に詳細に説明する。図１は本発明に係る間仕切装置の部分正面図、図２は分解斜視図、図３は巾木、図４〜図１５は詳細を示し、図中１は支柱、２は地レール、３は天レール、４はパネル体、５は巾木、６は欄間パネル体、７は化粧部材をそれぞれ示している。
【００１６】
本実施形態における間仕切装置は、予め床面Ｆに地レール２と天井Ｓに天レール３を取付けておき、下部支柱１Ａと上部支柱１Ｂとで構成した伸縮可能な支柱１を、前記地レール２上に立てて下部支柱１Ａに対して上部支柱１Ｂを押上げて、該上部支柱１Ｂの上端部を前記天レール３に弾性的に係合させて立起状態を維持し、所定間隔を隔てて立設した支柱１，１の下部支柱１Ａ，１Ａ間に、下端に巾木５を装着した状態のパネル体４を着脱可能に取付け、それから隣接する上部支柱１Ｂ，１Ｂ間に欄間パネル体６を着脱可能に取付けるとともに、前記巾木５に対応する支柱１の下端部外側面に化粧部材７をそれぞれ取付けたものである。尚、前記パネル体４は、予め所定間隔で立設した支柱１，１の下部支柱１Ａ，１Ａ間に後施工で前方から装着することも可能であるが、一方の支柱１を立設し、他方の支柱１を縮めた状態でパネル体４の一側部に連結しておき、予め立設した支柱１の下部支柱１Ａに前記パネル体４の他側部を連結し、この作業を繰り返し行うことで側方へパネル体４を順次側設するようにすることが施工性の観点から好ましい。
【００１７】
前記支柱１は、中空の下部支柱１Ａと該下部支柱１Ａの上部に上下スライド可能に内嵌する上部支柱１Ｂとからなっている。前記下部支柱１Ａは、アルミニウム製の型材であり、断面形状において四角形、好ましくは正方形の輪郭を有し、中央部に断面略正方形の内部空間を有し、各外側面に沿った長手方向に２条の平行な連結溝８，８を形成し、両連結溝８，８の外側縁から側面に沿って内方へ係止縁９，９を形成した構造である。また、前記下部支柱１Ａの下端には、前記連結溝８，…の端部を閉鎖するようにアジャスター１０の受具１１が嵌着されており、該アジャスター１０を調節して支柱１の高さを調節している。
【００１８】
そして、前記下部支柱１Ａの一側面下部に装着した下連結具１２Ａと、上部に装着した上連結具１２Ｂとで前記パネル体４を連結するとともに、該パネル体の下端部と地レール間に巾木５を設けるのである。
【００１９】
前記巾木５は、図２〜図５に示すように、合成樹脂で押出し成形したものであり、表裏の巾木板１３，１３の中間を連結板１４で一体的に連結した断面略Ｈ字形であり、前記連結板１４より上方の両巾木板１３，１３の上部間に前記パネル体４の下端部表裏面を挟持可能且つ該パネル体４に対して上下スライド変位可能であるとともに、前記連結板１４より下方の両巾木板１３，１３の下部間に前記地レール２を収容可能としたものである。
【００２０】
更に詳しくは、図３に示すように、前記巾木５は、前記パネル体４の下端部に装着する前の状態において、両巾木板１３，１３の上端間隔を前記パネル体４の表裏面の厚さよりも小さく設定し、両巾木板１３，１３の上部を弾性的に拡開させながら前記パネル体４の下端部を受け入れ、両巾木板１３，１３の弾性復元力を利用して挟持するのである。ここで、前記巾木５の長さは、前記パネル体４を取付ける支柱１，１間の間隔、つまり前記パネル体４の横幅に略一致させている。更に、前記巾木５の両巾木板１３，１３の上端部内面側に、長手方向に沿って二条の突条１５，１５を突設するとともに、両巾木板１３，１３の下端部内面側に、長手方向に沿って上向き傾斜した案内片１６，１６を対向形成している。
【００２１】
ここで、前記巾木５は、前記連結板１４より上方の寸法を十分長く設定しており、それにより該連結板１４より上方の巾木板１３，１３の上部の内外への弾力性を確保するとともに、前記パネル体４に対する嵌合深さを深くして上下の調整量を多く取れるようにし、更に押し下げて前記地レール２に外装する際のスライドを安定化するとともに、この作業中に当該巾木５が前後に多少傾いても前記案内片１６，１６との相乗作用により確実に地レール２を両巾木板１３，１３の下部間に受け入れることができるのである。
【００２２】
前記巾木５は、前記パネル体４を支柱１，１間に取付ける前に、該パネル体４の下端部に両巾木板１３，１３の上部で挟持し、最も上方にスライド変位させて装着する。ここで、前記連結板１４の両端部上面には、長手方向に沿ってリブ１７，１７を突設し、当該巾木５を押上げた際に、該リブ１７，１７が前記パネル体４の下端面に当止してそれ以上の上昇を防ぎ、前記両巾木板１３，１３が過度に拡開して塑性変形しないように規制している。このように下端部に前記巾木５を装着した状態の前記パネル体４を、前記支柱１，１間に下連結具１２Ａと上連結具１２Ｂとで連結する（図４参照）。それから、表裏一方の側で一方の巾木板１３を持って下方へ押し下げるだけで、前記連結板１４より下方の両巾木板１，１３の下部間に、両案内片１６，１６で案内されながら前記地レール２を受け入れて、該巾木５でパネル体４の下端部と地レール２を覆った状態にするのである（図５参照）。尚、前記巾木５の連結板１４の両端部は、前記下連結具１２Ａを逃すための切欠部１８を形成している。
【００２３】
床面Ｆに敷設する前記地レール２は、上方へ開放した断面コ字形の部材であり、前記支柱１の中心間隔に等しい長さに設定されており、底面板１９の両側に立上板２０，２０を形成するとともに、前記底面板１９の両端部に規制片２１を立設し、直線的に連続する地レール２，２の連接部の各底面板１９，１９に、前記アジャスター１０の接地部材２２を載置した際に、両地レール２，２の規制片２１，２１で長手方向の移動を規制している。換言すれば、前記地レール２，…を直線状に敷設すれば、それらの連接部に一対の規制片２１，２１で囲まれる空間部が形成されるので、前記支柱１をその空間部にそれぞれ立設すれば、隣接する支柱１，１の間隔がパネル体４の横幅に正確に一致するので、前記地レール２の規制片２１は位置決めの働きを有している。
【００２４】
また、前記天井Ｓに取付ける天レール３は、本実施形態では下方へ開放した断面略コ字形のアルミニウム製の型材であり、上面板２３の前後に垂下板２４，２４を有するとともに、両垂下板２４，２４の下縁に互に接近する方向に下片２５，２５を有し、前述の地レール２と同じ長さの単位長さに切断するとともに、両端部において前記上部支柱１Ｂの上端部を受け入れることができるように、部分的に前記下片２５，２５を切除している。また、前記両垂下板２４，２４の内面上部には断面が上向きＬ字形の係止条２６，２６を形成し、直線状に取付けた両天レール３，３に跨って内挿した固定金具２７を前記係止条２６，２６に係止した状態で、該固定金具２７に下設した固定片２８に前記上部支柱１Ｂの上端部をネジ止めし、当該上部支柱１Ｂが降下しないようにしている。
【００２５】
前述のように、前記パネル体４は支柱１，１間に取付け、同じく支柱１，１に前記巾木５が取付けられるが、前記支柱１の下部支柱１Ａの下端部表裏面は露出しているので、この部分に前記化粧部材７を着脱可能に取付けるのである（図１、図２、図６〜図９参照）。ここで、前記化粧部材７は、合成樹脂で成形したものであり、前記巾木５の上下幅と略一致する高さと下部支柱１Ａの外側面幅と略一致する横幅を有している。更に詳しくは、前記化粧部材７は、長方形の板状部材であり、背面の下端部に前記地レール２の立上板２０に係止可能な下向きフック２９を形成するとともに、背面の上部に前記連結溝８，８に挿入し、前記係止縁９，９に抜止め状態で係合する係合突部３０，３０を突設したものである。そして、前記化粧部材７を下部支柱１Ａの下端部に取付けるには、単に下向きフック２９を前記地レール２の立上板２０に係止した後、上部を下部支柱１Ａの外側面に押し付けるだけで、前記係合突部３０，３０が下部支柱１Ａの係止縁９，９に係合するのである。この化粧部材７を下部支柱１Ａの露出部にそれぞれ取付けるのである。
【００２６】
図１１及び図１２には、支柱１を介してパネル体４を連結する各種の態様を示し、その態様に応じて化粧部材７の取付けた状態を示している。図１１（ａ）は直線状連結態様、図１１１（ｂ）はＴ字状連結態様、図１１（ｃ）はＬ字状連結態様を示し、また図１２（ａ）は遊端部態様、（ｂ）は壁面連結態様をそれぞれ示している。
【００２７】
次に、前記パネル体４を下部支柱１Ａに連結するための構造について説明する。前記下部支柱１Ａの一側面下部に下連結具１２Ａを装着し、上部に上下スライド可能に上連結具１２Ｂを装着し、下連結具１２Ａには上向き係合爪３１を有し、上連結具１２Ｂには下向き係合爪３２を有しており、前記パネル体４の下端には、前記下連結具１２Ａの上向き係合爪３１を係合する開口部（図示せず）を形成するとともに、上端には前記上連結具１２Ｂの下向き係合爪３２を落し込み係合する係合孔（図示せず）とを形成し、前記パネル体４の下端開口部を前記下部支柱１Ａに装着しておいた前記下連結具１２Ａの上向き係合爪３１に上方から係合して載置した後、前記上連結具１２Ｂを前記下部支柱１Ａの上端から係合させ下方へ移動させて下向き係合爪３２を上方の係合孔に係合して連結するのである。ここで、前記パネル体４は、上下端面及び両側端面の中央部に凹溝３３を形成してあり、前記開口部及び係合孔は前記凹溝３３の底面部に形成している。
【００２８】
また、前記下連結具１２Ａは、図２及び図６に示すように、断面コ字形の縦長の本体部３４の両側縁に外向きに係合片３５，３５が折曲形成されており、この係合片３５，３５を含む両端縁部が前記下部支柱１Ａの連結溝８，８内に上下スライド可能に係合し且つ両係止縁９，９で両係合片３５，３５が側方への抜け止めがなされ、前記本体部３４の上端からは上方へ延び且つ先端が外向きに曲がった前記上向き係合爪３１が延設されている。
【００２９】
そして、前記上連結具１２Ｂは、図２及び図６に示すように、断面コ字形の縦長の本体部３６の両側縁に外向きに係合片３７，３７が折曲形成されており、この本体部３６と係合片３７，３７の断面形状は前記下連結具１２Ａのものと同様であり、前記下部支柱１Ａの連結溝８，８と係止縁９，９とで上下スライド可能且つ側方への抜け止めがなされ、また本体部３６の上端から外方へ延設した上板３８の両側縁には前記下向き係合爪３２，３２が一対形成されている。ここで、前記上板３８の先端には上方へ段状に突出した爪片３９が一体形成されている。
【００３０】
そして、前記下部支柱１Ａの上端から前記下連結具１２Ａを両係合片３５，３５を連結溝８，８内にスライド係合し、下端のアジャスター１０の受具１１に当止した状態で、前記パネル体４の開口部内に下連結具１２Ａの上向き係合爪３１を係合し、該パネル体４の側端面を下部支柱１Ａの側面に密着した状態で、下部支柱１Ａの上端から前記上連結具１２Ｂの両係合片３７，３７を連結溝８，８内にスライド係合し、一側部上部の係合孔に下向き係合爪３２，３２を係合して連結する。ここで、前記上連結具１２Ｂの本体部３６は、パネル体４の側方上端部の切欠部４０内に収容された状態となる。尚、パネル体４と下部支柱１Ａとを分解する場合には、前記上連結具１２Ｂを上方へ持ち上げるが、固く係合している場合には、前記爪片３９にドライバー等の工具の先端を引っ掛けて強制的に持ち上げて下部支柱１Ａから外し、それからパネル体４を持ち上げて下連結具１２Ａから外し、最後に下連結具１２Ａを下部支柱１Ａから上方へ抜くのである。このようなパネル体４の取付構造であるので、予め間仕切壁を施工後に、任意のパネル体４を取外すことが可能である。
【００３１】
それから、図１、図２、図４及び図１０に示すように、両下部支柱１Ａ，１Ａ間に装着した前記パネル体４の上方の両上部支柱１Ｂ，１Ｂ、パネル体４の上端及び天レール３で囲まれた空間には、前述のように欄間パネル体６を取付ける。それには、前記上部支柱１Ｂの内面側に縦パッキン４１を表裏両側の張出し縁部間に嵌着するとともに、前記パネル体４の上方凹溝３３内に横パッキン４２を嵌着し、前記天レール３の両下片２５，２５間に横パッキン４３を嵌着し、前記欄間パネル体６の周囲をそれらのパッキンで保持するのである。
【００３２】
ここで、前述のように支柱１，１間に前方からパネル体４を着脱可能に取付ける構造であるので、前記支柱１の下部支柱１Ａの側面と前記パネル体４の端面とは面接合するだけであると、その間に隙間が生じて表裏に光が透過し、また透視できるので好ましくない。そこで、本実施形態では、図９及び図１３に示すように、前記パネル体４の側面側の凹溝３３内にパッキン４４を装着し、該パッキン４４の先端をパネル体４の側面から突出するように設定し、前記支柱１，１間に当該パネル体４を取付けた際に、前記パッキン４４の突出端が支柱１の側面に当接するようにしている。
【００３３】
最後に、本発明に係る間仕切装置の端部処理について、図１４及び図１５に基づいて説明する。壁面Ｗと端部の支柱１間の空間を埋める端面パネル４５は、表裏の樹脂ボード４６，４６の間にペーパーハニカムの芯材４７を接着した構造であり、施工現場でカッターナイフで簡単に切断できるものである。前記端面パネル４５の厚さは、前記パネル体４と略同等の厚さに設定しているため、外観的にも違和感のないものとなる。具体的には、前記端面パネル４５を所定の大きさに切断し、端部の支柱１の側面、壁面Ｗ及び天井Ｓには同じ端面レール４８を用いて保持し、下端は前記巾木５によって支持する。前記端面レール４８は、支柱１の側面、固定部材４９と該固定部材４９に嵌着する保持部材５０とからなる。前記固定部材４９は、壁面Ｗ及び天井Ｓに取付ける取付板部４９Ａの一側に押え板４９Ｂを形成するとともに、他側に嵌合部４９Ｃを形成したもので、前記端面パネル４５を装着する位置に予めネジ止めする。前記保持部材５０は、押え板５０Ａの一側に前記嵌合部４９Ｃに抜止め状態で嵌合する脚部５０Ｂとを有している。そして、前記固定部材４９の押え板４９Ｂに端面パネル４５の周縁部を当止した状態で、当該保持部材５０の脚部５０Ｂを前記嵌合部４９Ｃを嵌合し、その押え板５０Ａで端面パネル４５の周縁部の反対側を挟持するのである。また、前記端面パネル４５の下部の支持は、床面Ｆに敷設したスペーサー５１の上に前記巾木５の連結板１４を載置した状態で、該連結板１４の上面に前記端面パネル４５の下端を載置するとともに、両リブ１７，１７間に位置させることで行っている。ここで、前記端面パネル４５の厚さは、前記パネル体４よりも若干薄いが、前記巾木５の巾木板１３，１３は内方へ傾斜した形状に成形されているので、両巾木板１３，１３の上端は端面パネル４５の表裏面に当接する。
【図面の簡単な説明】
【００３４】
【図１】本発明に係る間仕切装置の簡略正面図である。
【図２】同じく分解斜視図である。
【図３】巾木の部分拡大斜視図である。
【図４】巾木をパネル体の下端に装着した状態で支柱間に取付けた施工途中の状態を示す省略縦断面図である。
【図５】同じく巾木を押し下げてパネル体の下端部と地レール間に巾木を装着した状態を示す省略縦断面図である。
【図６】支柱の立起状態を一部断面で示した側面図である。
【図７】支柱の下端部に化粧部材を取付けた状態を一部断面で示した側面図である。
【図８】化粧部材の斜視図である。
【図９】支柱間にパネル体を取付けた状態の縦断面図である。
【図１０】支柱間に装着したパネル体の上部空間に欄間パネル体を取付けた状態の省略横断面図である。
【図１１】支柱を介してパネル体を連結する各種の態様を示し、（ａ）は直線状連結態様の横断面図、（ｂ）はＴ字状連結態様の横断面図、（ｃ）はＬ字状連結態様の横断面図を示している。
【図１２】同じく（ａ）は遊端部態様の横断面図、（ｂ）は壁面連結態様の横断面図をそれぞれ示している。
【図１３】支柱とパネル体の隙間にパッキンを設けた状態の部分横断平面図である。
【図１４】端面パネルの施工例を示した縦断面図である。
【図１５】同じく横断面図である。
【符号の説明】
【００３５】
１  支柱                  １Ａ  下部支柱
１Ｂ  上部支柱            ２  地レール
３  天レール              ４  パネル体
５  巾木                  ６  欄間パネル体
７  化粧部材              ８  連結溝
９  係止縁                １０  アジャスター
１１  受具                １２Ａ  下連結具
１２Ｂ  上連結具          １３  巾木板
１４  連結板              １５  突条
１６  案内片              １７  リブ
１８  切欠部              １９  底面板
２０  立上板              ２１  規制片
２２  接地部材            ２３  上面板
２４  垂下板              ２５  下片
２６  係止条              ２７  固定金具
２８  固定片              ２９  下向きフック
３０  係合突部            ３１  係合爪
３２  係合爪              ３３  凹溝
３４  本体部              ３５  係合片
３６  本体部              ３７  係合片
３８  上板                ３９  爪片
４０  切欠部              ４１  縦パッキン
４２  横パッキン          ４３  横パッキン
４４  パッキン            ４５  端面パネル
４６  樹脂ボード          ４７  芯材
４８  端面レール          ５９  固定部材
５０  保持部材            ５１  スペーサー
Ｆ  床面                  Ｓ  天井
Ｗ  壁面
【図１】
2006028896.tif 000003
【図２】
2006028896.tif 000004
【図３】
2006028896.tif 000005
【図４】
2006028896.tif 000006
【図５】
2006028896.tif 000007
【図６】
2006028896.tif 000008
【図７】
2006028896.tif 000009
【図８】
2006028896.tif 000010
【図９】
2006028896.tif 000011
【図１０】
2006028896.tif 000012
【図１１】
2006028896.tif 000013
【図１２】
2006028896.tif 000014
【図１３】
2006028896.tif 000015
【図１４】
2006028896.tif 000016
【図１５】
2006028896.tif 000017